【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
共通雇用主団体のうち第１の求人顧客からの第１の空きワークシフト及び第２の求人顧客からの第２の空きワークシフトを受信する求人者Ｉ／Ｏインターフェイスであって、前記第１の空きワークシフト及び前記第２の空きワークシフトの一部は同じ期間を対象にしている、求人者Ｉ／Ｏインターフェイスと、
複数のシフト要員のうち、第１のシフト要員からの第１の空き期間データ及び第２のシフト要員からの第２の空き期間データを受信する、シフト要員Ｉ／Ｏインターフェイスと、
前記第１の空きワークシフト、前記第２の空きワークシフト、前記第１の空き期間データ、及び前記第２の空き期間データの間で１つ以上の一致を確立し、前記第１のシフト要員用の第１の対話式シフト要員カレンダー及び前記第２のシフト要員用の第２の対話式シフト要員カレンダーを、その両方が前記第１の空きワークシフト及び前記第２の空きワークシフトを含むように生成して、前記第１の空きワークシフト及び前記第２の空きワークシフトを含む前記第１の対話式シフト要員カレンダーを前記シフト要員Ｉ／Ｏインターフェイスを介して前記第１のシフト要員に提供し、前記第１の空きワークシフト及び前記第２の空きワークシフトを含む前記第２の対話式シフト要員カレンダーを前記シフト要員Ｉ／Ｏインターフェイスを介して前記第２のシフト要員に提供する、サーバと、
を備える、システム。
【請求項２】
前記求人者Ｉ／Ｏインターフェイスは、前記第１の求人顧客の空きワークシフトに関連付けられた前記第１の求人顧客から私的なパラメータを受信し、
前記サーバは、受信した前記私的なパラメータの作用として、前記第１のシフト要員を前記第２のシフト要員よりも優先し、
前記サーバは、前記第１の空きワークシフト用の候補者のリストから前記第２のシフト要員を省き、
前記サーバは、前記第１の空きワークシフト用の候補者の前記リストを前記求人者Ｉ／Ｏインターフェイスを介して前記第１の求人顧客に提供する、
請求項１に記載のシステム。
【請求項３】
前記求人者Ｉ／Ｏインターフェイスは、前記第１のシフト要員で前記第１の空きワークシフトを埋めるとともに前記第２のシフト要員を前記第１の空きワークシフト用の待機リストに入れるための、前記第１の求人顧客からの選択を受信し、
前記サーバは、前記第１のシフト要員用の前記第１の対話式シフト要員カレンダーを更新して前記第１の求人顧客の前記第１の空きワークシフトを埋めるとともに、前記第２のシフト要員用の前記第２の対話式シフト要員カレンダーを更新して前記第１の空きワークシフト用の待機リストに入れ、
前記シフト要員Ｉ／Ｏインターフェイスは、更新された前記第１の対話式シフト要員カレンダーを前記第１のシフト要員に、更新された前記第２の対話式シフト要員カレンダーを前記第２のシフト要員に、提供する、
請求項１に記載のシステム。
【請求項４】
前記シフト要員Ｉ／Ｏインターフェイスは、前記第１のシフト要員から、考慮から撤回するためのコマンドを受信し、
前記サーバは、前記第１の空きワークシフトを削除するように前記第１のシフト要員用の前記第１の対話式シフト要員カレンダーを再更新し、
前記サーバは、前記第１の空きワークシフトを埋めるように前記第２のシフト要員用の前記第２の対話式シフト要員カレンダーを再更新し、
前記シフト要員Ｉ／Ｏインターフェイスは、再更新された前記第１の対話式シフト要員カレンダーを前記第１のシフト要員に、再更新された前記第２の対話式シフト要員カレンダーを前記第２のシフト要員に、提供する、
請求項３に記載のシステム。
【請求項５】
前記求人者Ｉ／Ｏインターフェイスは、シフト要員にするために、前記第１の求人顧客の複数の被雇用者の中からサイロ化被雇用者を選択するコマンドを受信し、
前記サーバは、前記サイロ化被雇用者のフラグを設定することにより、前記サイロ化被雇用者を前記複数のシフト要員の新しいシフト要員にするように指定する、
請求項１に記載のシステム。
【請求項６】
前記第１のシフト要員は前記新しいシフト要員である、
請求項５に記載のシステム。
【請求項７】
前記サーバは、前記新しいシフト要員の情報を、前記第１の求人顧客の被雇用者に関する情報とは別個に、サブ記憶装置に記憶する、
請求項５に記載のシステム。
【請求項８】
前記求人者Ｉ／Ｏインターフェイスは、前記第１の求人顧客からの第３の空きワークシフトを受信し、
前記シフト要員Ｉ／Ｏインターフェイスは、前記第１の空きワークシフトを埋めるための前記第１のシフト要員からの選択と、前記第３の空きワークシフトを埋めるための前記第２のシフト要員からの選択とを受信し、
前記サーバは、前記第１のシフト要員で前記第１の空きワークシフトを埋めるとともに前記第２のシフト要員で前記第３の空きワークシフトを埋めるように、対話式求人顧客カレンダーを更新し、
前記求人者Ｉ／Ｏインターフェイスは、前記第１の求人顧客に前記対話式求人顧客カレンダーを提供する、
請求項１に記載のシステム。
【請求項９】
共通雇用主団体のうち第１の求人顧客から空きワークシフトの第１セットを受信することと、
共通雇用主団体のうち第２の求人顧客から空きワークシフトの第２セットを受信することであって、空きワークシフトの前記第１セットのうちの第１シフトと、空きワークシフトの前記第２セットのうちの第２シフトとは、同じ期間を対象にしている、ことと、
複数のシフト要員のうち、第１のシフト要員から空き期間データの第１セットを受信することと、
複数のシフト要員のうち、第２のシフト要員から空き期間データの第２セットを受信することと、
空きワークシフトの前記第１セット、空きワークシフトの前記第２セット、空き期間データの前記第１セット、及び空き期間データの前記第２セットの間で１つ以上の一致を確立することと、
前記第１のシフト要員用の第１の対話式シフト要員カレンダー及び第２の対話式シフト要員カレンダーを、その両方が前記第１シフト及び前記第２シフトを含むように生成することと、
前記第１の対話式シフト要員カレンダーを前記第１のシフト要員に、前記第２の対話式シフト要員カレンダーを前記第２のシフト要員に、提供することと、
を含む、方法。
【請求項１０】
前記第１の求人顧客用の第１の対話式求人顧客カレンダー及び前記第２の求人顧客用の第２の対話式求人顧客カレンダーを、その両方が空き期間データの前記第１セットのうちの第１の期間及び空き期間データの前記第２セットのうちの第２の期間を含むように生成することであって、前記第１の期間と前記第２の期間とは同じ期間を対象にしている、ことと、
前記第１の対話式求人顧客カレンダーを前記第１の求人顧客に、前記第２の対話式求人顧客カレンダーを前記第２の求人顧客に、提供することと、
をさらに含む、請求項９に記載の方法。
【請求項１１】
空きワークシフトの前記第１セットのうちの第１シフトに関連付けられた前記第１の求人顧客から私的なパラメータを受信することと、
受信した前記私的なパラメータの作用として、前記第１のシフト要員を前記第２のシフト要員よりも優先することと、
前記第１シフト用の候補者のリストから前記第２のシフト要員を省くことと、
前記第１シフト用の候補者の前記リストを前記第１の求人顧客に提供することと、
をさらに含む、請求項９に記載の方法。
【請求項１２】
前記第１のシフト要員で前記第１シフトを埋めるとともに前記第２のシフト要員を前記第１シフト用の待機リストに入れるための、前記第１の求人顧客からの選択を受信することと、
前記第１のシフト要員用の前記第１の対話式シフト要員カレンダーを更新して前記第１シフトを埋めることと、
前記第２のシフト要員用の前記第２の対話式シフト要員カレンダーを更新して前記第１シフト用の待機リストに入れることと、
更新された前記第１の対話式シフト要員カレンダーを前記第１のシフト要員に、更新された前記第２の対話式シフト要員カレンダーを前記第２のシフト要員に、提供することと、
をさらに含む、請求項９に記載の方法。
【請求項１３】
前記第１のシフト要員から、前記第１シフトのための考慮から撤回するためのコマンドを受信することと、
前記第１シフトを削除するように前記第１のシフト要員用の前記第１の対話式シフト要員カレンダーを再更新することと、
前記第１シフトを埋めるように前記第２のシフト要員用の前記第２の対話式シフト要員カレンダーを再更新することと、
再更新された前記第１の対話式シフト要員カレンダーを前記第１のシフト要員に、再更新された前記第２の対話式シフト要員カレンダーを前記第２のシフト要員に、提供することと、
をさらに含む、請求項１２に記載の方法。
【請求項１４】
シフト要員にするために、前記第１の求人顧客の複数の被雇用者からサイロ化被雇用者を選択するコマンドを受信することと、
前記サイロ化被雇用者のフラグを設定することにより、前記サイロ化被雇用者を前記複数のシフト要員の新しいシフト要員にするように指定することと、
をさらに含む、請求項９に記載の方法。
【請求項１５】
前記第１のシフト要員は新しいシフト要員である、
請求項１４に記載の方法。
【請求項１６】
前記新しいシフト要員の情報を、前記第１の求人顧客の被雇用者に関する情報とは別個に、サブ記憶装置に記憶することをさらに含む、
請求項１４に記載の方法。
【請求項１７】
プロセッサ又はプログラムで制御可能な回路により実行可能な命令が記憶される非一時的プログラム記憶媒体であって、
共通雇用主団体のうち第１の求人顧客から空きワークシフトの第１セットを受信することと、
共通雇用主団体のうち第２の求人顧客から空きワークシフトの第２セットを受信することであって、空きワークシフトの前記第１セットのうちの第１シフト及び空きワークシフトの前記第２セットのうちの第２シフトは、同じ期間を対象にしている、ことと、
複数のシフト要員のうち第１のシフト要員から空き期間データの第１セットを受信することと、
複数のシフト要員のうち第２のシフト要員から空き期間データの第２セットを受信することと、
空きワークシフトの前記第１セット、空きワークシフトの前記第２セット、空き期間データの前記第１セット、及び空き期間データの前記第２セットの間で１つ以上の一致を確立することと、
前記第１のシフト要員用の第１の対話式シフト要員カレンダー及び第２の対話式シフト要員カレンダーを、その両方が前記第１シフト及び前記第２シフトを含むように生成することと、
前記第１の対話式シフト要員カレンダーを前記第１のシフト要員に、前記第２の対話式シフト要員カレンダーを前記第２のシフト要員に、提供することと、
を含む動作を実行する、非一時的プログラム記憶媒体。
【請求項１８】
前記記憶される命令は、実行された場合に、
前記第１の求人顧客用の第１の対話式求人顧客カレンダー及び前記第２の求人顧客用の第２の対話式求人顧客カレンダーを、その両方が空き期間データの前記第１セットのうちの第１の期間及び空き期間データの前記第２セットのうちの第２の期間を含むように生成することであって、前記第１の期間と前記第２の期間とが同じ期間を対象にしている、ことと、
前記第１の対話式求人顧客カレンダーを前記第１の求人顧客に、前記第２の対話式求人顧客カレンダーを前記第２の求人顧客に、提供することと、
を含む動作をさらに実行する、請求項１７に記載の非一時的プログラム記憶媒体。
【請求項１９】
前記記憶される命令は、実行された場合に、
空きワークシフトの前記第１セットのうち第１シフトに関連付けられた前記第１の求人顧客から私的なパラメータを受信することと、
受信した前記私的なパラメータの作用として、前記第１のシフト要員を前記第２のシフト要員よりも優先することと、
前記第１シフト用の候補者のリストから前記第２のシフト要員を省くことと、
前記第１シフト用の候補者の前記リストを前記第１の求人顧客に提供することと、
を含む動作をさらに実行する、請求項１７に記載の非一時的プログラム記憶媒体。
【請求項２０】
前記記憶される命令は、実行された場合に、
前記第１のシフト要員で前記第１シフトを埋めるとともに前記第２のシフト要員を前記第１シフト用の待機リストに入れるための、前記第１の求人顧客からの選択を受信することと、
前記第１のシフト要員用の前記第１の対話式シフト要員カレンダーを更新して前記第１シフトを埋めることと、
前記第２のシフト要員用の前記第２の対話式シフト要員カレンダーを更新して前記第１シフト用の待機リストに入れることと、
更新された前記第１の対話式シフト要員カレンダーを前記第１のシフト要員に、更新された前記第２の対話式シフト要員カレンダーを前記第２のシフト要員に、提供することと、
を含む動作をさらに実行する、請求項１７に記載の非一時的プログラム記憶媒体。
【請求項２１】
前記記憶される命令は、実行された場合に、
前記第１のシフト要員から、前記第１シフトのための考慮から撤回するためのコマンドを受信することと、
前記第１シフトを削除するように前記第１のシフト要員用の前記第１の対話式シフト要員カレンダーを再更新することと、
前記第１シフトを埋めるように前記第２のシフト要員用の前記第２の対話式シフト要員カレンダーを再更新することと、
再更新された前記第１の対話式シフト要員カレンダーを前記第１のシフト要員に、再更新された前記第２の対話式シフト要員カレンダーを前記第２のシフト要員に、提供することと、
を含む動作をさらに実行する、請求項２０に記載の非一時的プログラム記憶媒体。
【請求項２２】
前記記憶される命令は、実行された場合に、
シフト要員にするために、前記第１の求人顧客の複数の被雇用者からサイロ化被雇用者を選択するコマンドを受信することと、
前記サイロ化被雇用者のフラグを設定することにより、前記サイロ化被雇用者を前記複数のシフト要員の新しいシフト要員にするように指定することと、
を含む動作をさらに実行する、請求項１７に記載の非一時的プログラム記憶媒体。
【請求項２３】
前記第１のシフト要員は新しいシフト要員である、
請求項２２に記載の非一時的プログラム記憶媒体。
【請求項２４】
前記記憶される命令は、実行された場合に、前記新しいシフト要員の情報を、前記第１の求人顧客の被雇用者に関する情報とは別個に、サブ記憶装置に記憶すること、
を含む動作をさらに実行する、請求項２３に記載の非一時的プログラム記憶媒体。